(57)【特許請求の範囲】
【請求項１】
螺旋状に形成された光ディスクの隣接する複数本のトラックにまたがるように光ビームを照射して、各トラックに予め記録された記録情報をそれぞれのトラックに対応した別個の光検出器により検出した検出出力を、別個のメモリ、終段復調器を有する記録データ再生系で各トラックに記録された記録データを同時に前記別個のメモリに読み込み、前記記録データ再生系で光ディスクに対するほぼ１回転分の連続的な読み取りと、該連続的な読み取りにより、各前記メモリにメモリされている前記記録データをシリーズ化して、光ディスクからの読み取りデータに抜けが無くなったあと、次の任意の複数本のトラックへのトラックジャンプを行って光ディスクを再生する光ディスク再生装置であって、
前記光ディスク上に前記光ビームが照射されている位置を検出する位置検出手段と、
この位置検出手段により検出された位置情報をもとに、単一の光検出器で前記記録データ再生系によらず連続的に記録情報を前記終段復調器に読み出すまでの読出し時間と、前記記録データ再生系により複数本のトラック毎に記録情報を同時に読み出し、前記記録データ再生系を経て前記終段復調器に読み出すまでの読み出し時間とが略同一となる基準の情報量を求める演算手段と、
これから読み出すべき情報量と前記演算手段により演算された基準の情報量とを比較する比較手段と、
この比較手段の比較結果に従って、単一トラックで記録情報を再生した方が、複数トラック毎に記録情報を再生するよりも早い場合、単一トラックで記録情報を再生する側に切り換える切替制御手段と、を備えたことを特徴とする光ディスク再生装置。
【請求項２】
螺旋状に形成された光ディスクの隣接する複数本のトラックにまたがるように光ビームを照射して、各トラックに予め記録された記録情報をそれぞれのトラックに対応した別個の光検出器により検出した検出出力を、別個のメモリ、終段復調器を有する記録データ再生系で各トラックに記録された記録データを同時に前記別個のメモリに読み込み、前記記録データ再生系で光ディスクに対するほぼ１回転分の連続的な読み取りと、該連続的な読み取りにより、各前記メモリにメモリされている前記記録データをシリーズ化して、光ディスクからの読み取りデータに抜けが無くなったあと、次の任意の複数本のトラックへのトラックジャンプを行って光ディスクを再生する光ディスク再生装置であって、
単一の光検出器で前記記録データ再生系によらず連続的に記録情報を前記終段復調器に読み出すまでの読出し時間と、前記記録データ再生系により複数トラック毎に記録情報を同時に読み出し、記録データ再生系を経て終段復調器に読み出すまでの読み出し時間とが略同一となる基準の情報量を予め記憶する記憶手段と、
これから読み出すべき情報量と前記記憶手段の基準の情報量とを比較する比較手段と、
この比較手段の比較結果に従って、単一トラックで記憶情報を再生した方が、複数トラック毎に記録情報を再生するよりも早い場合、単一トラックで記録情報を再生する側に切り換える切替制御手段と、を備えたことを特徴とする光ディスク再生装置。
【発明の詳細な説明】
【０００１】
【発明の属する技術分野】
本発明は、ディスクに記録された複数トラック分の情報を一度に読み出して再生する光ディスク再生装置に関する。
【０００２】
【従来の技術】
従来技術について光ディスクを例として説明する。近年、ディジタル信号によって高精細度のテレビジョン信号を光ディスクに記録再生することが計画されている。この信号の特徴の１つは、時間当たりに転送すべき信号の量が５０Ｍｂｐｓ（ｂｐｓは１秒当たりの情報転送量（ビット）を表す単位）であり、現在用いられているコンパクトディスクの転送量（１．２Ｍｂｐｓ）の４０倍程度と極めて多く、比較的高い情報転送レートが要求されている。
【０００３】
ここで従来の光ディスク情報再生形態を示せば、図３に示したような例えば相変化型の光ディスクＤヘ情報を記録再生する装置がある。図３において、レーザダイオード１から出射した光がコリメーターレンズ２によって平行光になる。その平行光はビームスプリッタ３を透過し、対物レンズ４によってディスクＤ上に焦点を結ぶ。ディスクＤからの反射光は対物レンズ４を通過して平行光になり、ビームスプリッタ３で反射してシリンドリカルレンズ５に入射する。シリンドリカルレンズ５によって非点収差を起こした光はフォトディテクタ−６に入射し、フォトディテクタ−６からトラッキング信号、フオーカス信号及び情報信号が得られる。
【０００４】
このような従来構成の下では、内周から１つの記録用光ビームを用いて単一螺旋状に情報を記録していき、記録された当該螺旋状トラックを１つの再生用光ビームによって読み取り再生して行くという動作が行なわれている。この時、１つのトラックをトレースするために制御用に３つのビームを用いることが、一般的に行われているが、このように構成しても、情報の再生に用いる光ビームは１つだけで、１つのトラックの記録情報のみが読み出されていた。
【０００５】
このような単一ビームによって単一螺旋状に情報を記録する場合、転送レートを高めるためには、ディスクＤの回転数を上げて、読み出す情報密度を高めるという方法を用いる必要がある。この方法を実現するためには、レーザダイオード１の出力を上げたり、記録媒体たるディスクＤの記録感度を上げたりしなければならない。
【０００６】
また、ディスク記録情報を読み取るためには、対物レンズ４を高い周波数でのディスクＤの面ぶれなどに正確に追従させることや、読み取る波長を短くして情報密度を高めたりしなければならない。そして何よりも、記録再生中、常に高速度でディスクＤを回転させておく必要があるため、転送レートを上げるに伴って高騒音、高振動、高電力消費の問題が起こってくる。
【０００７】
これに対し、特開平５−１３５４０３号公報に記載された技術、特開平６−２３１４７３号公報に記載された技術及び特開平８−２４９７２０号公報に記載された技術がある。これらの方法は線状光ビーム、複数の光スポット、広範囲領域照明をディスク上の隣接する複数のトラック上に照射して、複数のトラックに対して同時に情報を記録したり、或いは情報を読み出すことを行って、転送レートを向上させる技術である。
【０００８】
図４は従来この種の光ディスク再生装置の構成例を示したブロック図である。同図を用いて、複数スポットにより複数のトラックからの情報信号の同時読み出しに関する従来技術について詳細に説明する。
【０００９】
図４において、半導体レーザ光源２１は単一螺旋トラック構造にて記録された光ディスク２０に対して読み取り用のレーザ光を発生する。このレーザ光は回折格子２２により３つに分割されてビームスプリッタ２３へ導かれる。ビームスプリッタ２３は回折格子２２からの分割光の各々を読み取りビームとして対物レンズ２４へと導く。
【００１０】
対物レンズ２４はビームスプリッタ２３から入射された３つの光を光ディスク２０上の読み取り点としてのスポットＡ、Ｂ、Ｃに絞り込んで３つのトラックにまたがって照射する。各スポット光、即ち読み取りビームＡ、Ｂ、Ｃはディスク２０の記録面の状態に応じて反射し、対物レンズ２４及びビームスプリッタ２３を経て、光検出器２５、２６、２７へ導かれる。
【００１１】
これら光検出器２５、２６、２７は、スポット光毎にビームスプリッタ２３からの入射光を受光して、その受光強度、即ちディスク２０からの反射光強度を検出する。光検出器２５、２６、２７の検出出力は反射光強度検出信号として、それぞれ初段復調器３１、３２、３３に供給される。これら初段復調器３１、３２、３３は反射光強度検出信号を２値化することにより復調して読み取りデータとしてメモリ３４、３５、３６に転送する。各メモリは転送された読み取りデータを書込アドレスコントローラ４１の制御のもとに書き込んだ後、読出アドレスコントローラ４３の制御のもとにセレクタ３７へ読み出しデータを出力する。
【００１２】
セレクタ３７はメモリ３４、３５、３６から読み出された読み取りデータのうち１つをＣＰＵ４２からの選択制御信号に応じて終段復調器３８へ選択出力する。従って、終段復調器３８には、３トラック同時に読み出されたデータが一つの連続したデータに編集されて入力される。終段復調器３８は、読み取りデータを順次図示せぬ情報出力系に合致するよう復調処理を行う。
【００１３】
ここで、光ディスク２０では、単一螺旋状トラックが内側から外側ヘ進むように形成されている一方、ＣＰＵ４２はある一定間隔で読み取りビームの位置を外周方向ヘトラックジャンプさせる。かくして３つの読み取りビームによって同一時間に半径方向にある３トラックからの記録情報を効率的に取り込むこととなる。
【００１４】
図２は、ある半径位置で、上記のように得られた情報信号のセクタ数とシーク終了からの時間の関係を示しており、図中の特性線Ａが本例の特性である。
【００１５】
この特性線Ａより明らかなように、従来構成の光ディスク再生装置においては、読み出しアドレスコントローラ４３及びセレクタ３７を駆使して、３トラック毎同時に読み出された信号を単一螺旋状の一連の信号に対応するようにデータの繋ぎ合わせを行い、単一螺旋状の信号に対応した信号として終段復調器３８へ送出する。それ故、１本のビームで１トラックの情報を順次読み出した場合の特性線Ｂに比べて、特性線Ａの傾きは大きく、情報転送レートが向上されることがわかる。
【００１６】
【発明が解決しようとする課題】
上記のようなディスク２０上の複数のトラックの記録情報を一度に読み出し、読み出した信号を単一螺旋状の一連の信号に対応するようにデータの繋ぎ合わせを行って復調する従来の光ディスク再生装置では、当初、光ディスク２０が一回転する間、即ち、図２の０からＴ０ａ秒の数十〜数百ミリ秒間、即ち、最初に複数のトラックの記録情報を一度に読み出している期間、読み出した信号が直列に繋がらないため、終段復調器３８に繋ぎ合わせたデータを送ることができず、復調信号を送出ができないとい問題があった。従って、シーク動作終了後の読み取り動作開始当初、数十〜数百ミリ秒に亙って、読み取った信号を再生出来ず、連続セクタ数の小さな情報を数多く読み出す場合など、通常の単一ビーム（図２の特性線Ｂでは０からＴ０ａ秒の間も再生できる）で読み出す場合に比べると、読み出し時間が長くなってしまうという問題があった。
【００１７】
このような問題は、光ディスク再生装置だけでなく、複数の磁気ヘッドによって磁気ディスクの複数のトラックから同時に記録情報を読み出すように構成する磁気ディスク再生装置でも当然生じるものである。
【００１８】
本発明は、上述の如き従来の課題を解決するためになされたもので、その目的は、複数トラックの記録情報を一度に読み出して再生することにより高い情報転送レートを得ることができると共に、連続セクタ数の小さな情報の読み出しにおいても待ち時間なく短時間に再生信号を出力することができる光ディスク再生装置を提供することである。
【００１９】
【課題を解決するための手段】
上記目的を達成するために、第１の発明の特徴は、光ディスクの半径方向上にある複数トラックにまたがるように光ディスク上に光ビームを照射して記録情報を同時に読み出して再生する構成を有する光ディスク再生装置であって、前記光ディスク上に前記光ビームが照射されている位置を検出する位置検出手段と、この位置検出手段により検出された位置情報を元に、各トラック毎に記録情報を読み出す場合の読み出し時間と複数トラック毎に記録情報を同時に読み出す場合の読み出し時間とが略同一となる基準の情報量を求める演算手段と、これから読み出すべき情報量と前記演算手段により演算された基準の情報量とを比較する比較手段と、この比較手段の比較結果に従って、各トラック毎に記録情報を再生する再生開始時刻と、複数トラック毎に記録情報を再生する再生開始時刻とに差がある場合には、各トラック毎に記録情報を再生する側に切り換える切替制御手段とを備えたことにある。
【００２０】
この第１の発明によれば、複数トラックを一度に読み出す場合、読み出し当初は、光ディスクが１回転するまで、読み出したそれぞれのトラックからの読み出し情報を繋げて連続化することができず、この間、読み出し情報は再生されずに出力されない。従って、読み出すべきセクタの量が上記基準セクタ量以下であった場合に、複数のトラックの記録情報を一度に読み出す方式を採ると、再生信号が出力されるまでに待ち時間が生じるため、１トラック毎に記録情報を読み出す方式の方が短時間で情報を読み出すことができる。従って、読み出すべきセクタの量と上記基準セクタ量とを比較し、読み出すべきセクタ量が上記基準セクタ量より小さい場合は１トラック毎に記録情報を読み出す方式で情報を再生し、読み出すべきセクタ量が上記基準セクタ量より大きい場合は複数トラック毎に記録情報を読み出す方式で情報を再生するように切り換える。この際、光ディスクに線速度一定で情報が記録されている場合、光ディスク上の読み取り位置により前記基準セクタ量が異なるため、前記位置に応じて基準セクタ量を求めている。
【００２１】
第２の発明の特徴は、光ディスクの半径方向上にある複数トラックにまたがるように光ディスク上に光ビームを照射して記録情報を同時に読み出して再生する構成を有する光ディスク再生装置であって、各トラック毎に記録情報を読み出す場合の読み出し時間と複数トラック毎に記録情報を同時に読み出す場合の読み出し時間が略同一となる基準の情報量を予め記憶する記憶手段と、これから読み出すべき情報量と前記記憶手段の基準の情報量とを比較する比較手段と、この比較手段の比較結果に従って、各トラック毎に記録情報を再生する再生開始時刻と、複数トラック毎に記録情報を再生する再生開始時刻とに差がある場合には、各トラック毎に記録情報を再生する側に切り換える切替制御手段とを備えたことにある。
【００２２】
この第２の発明によれば、読み出すべきセクタの量と上記基準セクタ量とを比較し、読み出すべきセクタ量が上記基準セクタ量より小さい場合は１トラック毎に記録情報を読み出す方式で情報を再生し、読み出すべきセクタ量が上記基準セクタ量より大きい場合は複数トラック毎に記録情報を読み出す方式で情報を再生するように切り換える。この際、光ディスクに角速度一定で情報が記録されている場合、前記基準セクタ量は光ディスク上の読み取り位置により変わらず、一定であるため、予め前記基準セクタ量を記憶している。
【００２３】
第３の発明の前記光ディスクに当てる光の特徴は、複数のスポット光、線状光或いは広域照明のいずれかである。
【００２４】
この第３の発明によれば、複数のスポット光はそれぞれ光ディスク上の半径方向にある複数のトラックに照射され、前記複数のトラックから記録情報が読み出される。線状光は光ディスク上の半径方向にある複数のトラックを照射し、前記複数のトラックから記録情報が読み出される。広域照明は光ディスク上の半径方向にある複数のトラックを含めて照射し、前記複数のトラックから記録情報が読み出される。
【００２５】
第４の発明の前記切替制御手段の特徴は、前記光ディスクに単一の光スポットを当てて１トラック毎に記録情報を読み出して再生するか、或いは前記光ディスクに複数の光スポットを当てて複数トラック毎に記録情報を読み出して再生するかを切り換えることにある。
【００２６】
この第４の発明によれば、１トラック毎に記録情報を再生する場合は、前記光ディスクに単一の光スポットを当て、一方、複数トラック毎に記録情報を再生する場合は、複数の光スポットを前記複数のトラックに同時に当てるように切り替わる。
【００２７】
第５の発明の前記切替制御手段の特徴は、常に前記複数トラック毎に記録情報を読み出し、その中の１トラック分の信号を再生して出力するか、或いは複数トラックの信号を連続した信号に編集して出力するかを切り換えることにある。
【００２８】
この第５の発明によれば、複数スポットにより或いは線状光や広域照明により、常に前記光ディスク上の複数トラックから同時に記録情報を読み出すようにしておき、１トラック毎に記録情報を再生する場合、読み出された複数のトラックの１系統の復調再生信号に着目し、この１系統の復調再生信号をそのまま出力するようにし、一方、複数トラック毎に記録情報を再生する場合、読み出された複数のトラックの全系統の復調再生信号を一旦メモリなどに記憶した後、連続化して一つの信号にする切替えを行う。
【００２９】
第６の発明の前記切替制御手段の特徴は、前記光ディスクに単一の光スポットを当ててるか、或いは前記光ディスクに複数の光スポットを当てるかを切り換えると共に、１トラック分の信号を再生して出力するか、或いは複数トラックの信号を読み出して連続した信号に編集して出力するかの両方を切り換えることにある。
【００３０】
第７の発明の前記切替制御手段の特徴は、前記１トラック毎に記録情報を読み出して再生するか、前記複数トラック毎に記録情報を読み出して再生するかを切り換えると共に、光ディスクの回転速度を切り換えることにある。
【００３１】
この第７の発明によれば、例えば、前記１トラック毎に記録情報を読み出して再生する場合、光ディスクの回転数を通常よりも速くすれば、その分、情報の転送レートを高くできる。
【００３２】
第８の発明の前記位置検出手段の特徴は、前記光ディスクに複数の光スポットが当っている場合、少なくとも一つの光スポットの前記光ディスク上の位置を検出することにある。
【００３３】
ところで上述した本発明は光ディスク再生装置について述べたが、この構成をそのまま磁気ディスク再生装置に転用可能である。即ち、磁気ディスク上の記録情報を複数磁気ヘッドにより読み出して再生する装置で、磁気ディスク上の１トラック毎に記録情報を再生する機能及び複数トラック毎に記録情報を再生する機能の両方を有する磁気ディスク再生装置において、前記磁気ディスク上の前記磁気ヘッドの位置を検出する位置検出手段と、この位置検出手段により検出された位置情報を元に、前記１トラック毎に記録情報を読み出す場合と複数トラック毎に記録情報を読み出す場合の読み出し時間が同一となる基準セクタ量を求める演算手段と、これから読み出すべきセクタ量と前記演算手段により演算された基準セクタ量とを比較する比較手段と、この比較手段の比較結果に従って、１トラック毎に記録情報を再生するか、複数トラック毎に記録情報を再生するかを切り換える切替制御手段とを備えたことにある。
【００３４】
また、磁気ディスク上の記録情報を磁気ヘッドにより読み出して再生する装置で、磁気ディスク上の１トラック毎に記録情報を再生する機能及び磁気ディスクの半径方向上にある複数トラック毎に記録情報を同時に読み出して再生する機能の両方を有する磁気ディスク再生装置において、前記１トラック毎に記録情報を読み出す場合と複数トラック毎に記録情報を読み出す場合の読み出し時間が同一となる基準セクタ量を予め記憶する記憶手段と、これから読み出すべきセクタ量と前記記憶手段の基準セクタ量とを比較する比較手段と、この比較手段の比較結果に従って、１トラック毎に記録情報を再生するか、複数トラック毎に記録情報を再生するかを切り換える切替制御手段とを備えたことにある。
【００３５】
【発明の実施の形態】
以下、本発明の実施の形態を図面に基づいて説明する。図１は、本発明の光ディスク再生装置の第１の実施の形態を示したブロック図である。但し、図１に示した従来例と同一部分は同一符号を用いて説明する。光ディスク再生装置は読み取り用のレーザーを発生する半導体レーザ光源２１、前記レーザー光を３ビームに分割する回析格子２２、入射光と反射光を分離するビームスプリッタ２３、３ビームのレーザー光を光ディスク２０面に集光する対物レンズ２４、３ビームのレザー反射光を受光して検出する光検出器２５、２６、２７、光検出器２５、２６、２７の反射光強度検出信号を２値化して復調する初段復調器３１、３２、３３、初段復調器３１の出力をメモリ３４側に送るか、終段復調器３８へ送るかを切り換える復調信号分岐器３９、メモリ３４、３５、３６へのデータの書き込み制御を行う書込アドレスコントローラ４１、メモリ３４、３５、３６からのデータの読み出し制御を行う読出アドレスコントローラ４３、メモリ３４、３５、３６からの読み出し信号の一つを選択するセレクタ３７、セレクタ３７が選択した読み出し信号を情報出力系に合致するように復調する終段復調器３８、書込アドレスコントローラ４１、読出アドレスコントローラ４３セレクタ３７及びビーム移動制御回路４４を制御すると共に装置全体を制御するＣＰＵ４２、対物レンズ２４等の光ピックアップ系を移動させるアクチュエータ４５、アクチュエータ４５を動作させて３ビームＡ、Ｂ、Ｃを移動させるビーム移動制御回路４４を有している。
【００３６】
次に本実施の形態の動作について説明する。半導体レーザ光源２１は単一螺旋トラック構造にて記録された光ディスク２０に対して読み出し用のレーザ光を発生する。このレーザ光は回折格子２２により３つに分割されてビームスプリッタ２３へ導かれる。ビームスプリッタ２３は回折格子２２からの分割光の各々を読み取りビームとして対物レンズ２４に導く。対物レンズ２４はビームスプリッタ２３から入射された３つのレーザ光を光ディスク２０上の読み取り点Ａ、Ｂ、Ｃとしてのスポットに絞り込んで光ディスク２０上を照射する。
【００３７】
各スポット光、即ち読み取りビームＡ、Ｂ、Ｃは光ディスク２０の記録面の状態に応じて反射し、対物レンズ２４及びビームスプリッタ２３を経て光検出器２５、２６、２７に導かれる。これら光検出器２５、２６、２７はスポット光毎にビームスプリッタ２３からの入射光を受光して、その受光強度、即ち光ディスク２０からの反射光強度を検出する。
【００３８】
光検出器２５、２６、２７の検出出力は反射光強度検出信号として、それぞれ初段復調器３３、３２、３１に供給される。これら初段復調器３１、３２、３３は反射光強度検出信号を２値化することにより復調して読み取りデータとし、これらデータをメモリ３４、３５、３６に転送する。
【００３９】
各メモリ３４、３５、３６は転送された読み取りデータを書き込んだ後、読み出しデータをセレクタ３７へ出力する。セレクタ３７はメモリ３４、３５、３６から読み出された読み取りデータのうち１つを、ＣＰＵ４２の選択制御信号に応じて終段復調器３８へ選択出力する。終段復調器３８はセレクタ３７により選択された読み取りデータを順次図示せぬ情報出力系に合致するよう復調処理を行う。
【００４０】
尚、上記のように３ビームを用いて光ディスク２０からの読み取りを行う場合、ＣＰＵ４２は予め復調信号分岐器３９をメモリ３４側に切り換えておく。
【００４１】
初段復調器３１、３２、３３の各々は、読み取りアドレスやフレーム同期信号等のデータの繋ぎ合わせに必要な信号を読み取り、データ結合用制御信号（又は読み取りデータ結合用指標信号）として検出して、書込アドレスコントローラ４１に供給する。書込アドレスコントローラ４１はかかる結合用信号をＣＰＵ４２に送る。ＣＰＵ４２は結合用信号を受け取ると、これに基づき繋ぎ合わせるべき有効な読み取りデータであるかどうか判断し、そうであれば書込アドレスコントローラ４１にメモり３４、３５、３６の書き込みアドレスの設定を行うよう指令信号を発する。
【００４２】
各メモリ３４、３５、３６は、こうして設定された書き込みアドレスにつき順次読み取りデータの書き込みを行う。ＣＰＵ４２は、上記したメモリの書き込み制御と並行して、読出アドレスコントローラ４３と共にメモリの読み出し制御を行う。ＣＰＵ４２が読み出すべきタイミングであると判断すると、読出アドレスコントローラ４３へ読み出しアドレスの設定を行うよう指令信号を発する。読出アドレスコントローラ４３はＣＰＵ４２から発せられた指令信号に応答してメモリのうち読み出すべき１つのメモリの読み出し、アドレスを順次インクリメント、又はデクリメントさせる。
【００４３】
更に、ＣＰＵ４２は前記したインクリメント、又はディクリメントに対応し、且つその起動タイミングに応答して選択制御信号をセレクタ３７へ供給する。従ってセレクタ３７は読み出し制御中のメモリを選択することとなる。結局、光ディスク２０の３トラックから同時に読み出されたデータはメモリ３４、３５、３６に一旦保持された後、セレクタ３７により一つの長いデータに編集されて、終段復調器３８に出力される。
【００４４】
再生制御手段の一部を担うＣＰＵ４２はトラックジャンプパルスを発生して、ビーム移動制御回路４４に供給する。ビーム移動制御回路４４はこのトラックジャンプ信号に応答して光ビームのディスク半径方向移動手段としてのトラックキングアクチュエータ４５へ、対物レンズ２４の偏倚による読み取り点のトラックジャンプがなされるように駆動信号を供給する。また、光ディスク２０の半径方向の位置検出器４６によって、読み取りビームに基づき光ビームスポットのうち少なくとも１の光ディスク２０の円周方向における位置が検出され、これがＣＰＵ４２に与えられる。位置検出器４６として、上記以外の方法で、例えば光ディスク２０の回転に同期したパルスを用いて当該検出出力を得る回路を採用してもよい。ＣＰＵ４２は上記のような検出出力に基づいて再生制御を行う。
【００４５】
なお、光検出器２７を経て初段復調器３１及びメモリ３４へ情報伝達する系は読み取りビームＡの読み取り情報取り込み系を構成し、光検出器２６を経て初段復調器３２及びメモリ３５へ情報伝達する系は読み取りビームＢの読み取り情報取り込み系を構成し、光検出器２５を経て初段復調器３３及びメモリ３６へ情報伝達する系は読み取りビームＣの読み取り情報取り込み系を構成する。
【００４６】
ここで、光ディスク２０においては単一螺旋状トラックが内側から外側ヘ進むように形成されている一方、ＣＰＵ４２はある一定間隔で読み取りビームの位置を外周方向ヘトラックジャンプさせる。かくして３つの読み取りビームによって同一時間に光ディスク２０上の半径方向にある３トラックからの記録情報を効率的に取り込むこととなる。
【００４７】
図２において、特性線Ｂは光ディスク２０のある半径位置で単一光スポットにより単一螺旋状の一連の信号を読み出した場合の情報信号のセクタ数とシーク終了からの時間関係を示したものである。これに対して、特性線Ａは３トラック毎の信号を単一螺旋状の一連の信号に対応するようにデータの繋ぎ合わせを行い、単一螺旋状の信号に対応した信号として終段復調器３８へ送出した場合の情報信号のセクタ数とシーク終了からの時間関係を示したものである。
【００４８】
特性線Ａはその信号復調の原理上、図２の０〜Ｔ０ａ時間までの間、情報信号の送出が行われない。光ディスク２０に線速度一定で情報信号が記録されている場合は０〜Ｔ０ａまでの時間は光スポットの光ディスク２０上の半径位置によって異なる。本例の光ディスク２０には線速度一定で情報信号が記録されているものとする。
【００４９】
Ｔ０ａを過ぎると、３トラック毎に信号の読み出しが行われるため、特性線Ｂに比べて同じ時間で３倍の情報量を読み出すことができる。Ｔ０ａは情報信号の再生開始時刻。また、特性Ｂに係る情報信号の再生開始時刻は０。図３から明らかなように、セクタ数Ｓｃの情報を読み出す時間は単一光スポットによる場合も３トラック毎の信号読み出しでも同一である。しかし、Ｓ１のセクタ数の比較的小さな情報量を読出す場合は、Ｔ１ｂ＜Ｔ１ａとなり、単−スポットでデータの読み出を行った方が短い時間で済むことが分かる。また、Ｓ２のセクタ数の比較的大きな情報量を読み出す場合は、Ｔ２ａ＜Ｔ２ｂとなり、３トラック毎の信号読み出を行う場合の方が短い時間で済むことが分かる。
【００５０】
光スポットの光ディスク２０上における位置を検出する位置検出器４６の信号がＣＰＵ４２に入力されると、これに基づきＣＰＵ４２は単一光スポットによつても、３トラック毎の信号読み出を行つても同一時間であるセクタ量を求める演算を行う。このようにして得られたセクタ量をＳｃとする。
【００５１】
次にＣＰＵ４２において、読み出すべき連続セクタ数ＳｒとＳｃとの比較が行われる。Ｓｒ＞Ｓｃの場合、ＣＰＵ４２は３つの読み取りビーム方式による再生動作を前述したように図示した各要素へ指示する。Ｓｒ＝Ｓｃの場合、３つの読み取りビ−ム方式による再生動作でも、単−ビーム方式による再生動作でも、読出時間は同じであるので、ＣＰＵ４２は３つの読み取りビーム方式による再生動作を前述のように図示した各要素へ指示するか、或いは、単−ビーム方式による再生動作を行うため、図示せぬ光ビーム数制御回路と復調信号分岐器３９ヘ信号を送出し、単一ビームによって読み取られた信号を光検出器２７で検出して初段復調器３１で復調された信号を直接終段復調器３８へ出力するよう指示を出す。
【００５２】
本実施の形態によれば、シーク終了から読み出し完了までの時間が１ビームを用いたデータの読み出し方式よりも短い大きな連続セクタ数の情報を再生する際は、３ビーム方式でデータを読み出し、情報転送レートを向上させることができる。一方、セクタ数の比較的小さな情報量を読み出す場合は、単−ビーム方式によりデータを読み出すため、データが読み出されない待ち時間をなくし、データを最短で読み出すことができる。
【００５３】
次に本発明の光ディスク再生装置の第２の実施の形態について説明する。但し、本例の構成は図１に示した第１の実施の形態と同様であるため、以降、図１を借用して説明する。本例は光ディスク２０に角速度一定で情報信号が記録されている場合である。光ディスク２０に角速度一定で情報信号が記録されている場合、図２のＳｃは光スポットの光ディスク２０上の半径位置に拘らず一定で、従って、光スポットの光ディスク２０上の半径位置に拘らず、０からＴ０ａまでの時間は一定であるため、光スポットの光ディスク２０上における位置によって、ＣＰＵ４２が一々Ｓｃを演算して求める必要はなく、図示しないメモリに予めＳｃが記憶されている。
【００５４】
このため、ＣＰＵ４２は前記メモリに格納されているＳｃと読み出すべき連続セクタ数Ｓｒとの比較を行なう。Ｓｒ＞Ｓｃの場合、ＣＰＵ４２は３つの読み取りビーム方式による再生動作を前述したように図示した各要素へ指示する。Ｓｒ＝Ｓｃの場合、３つの読み取りビ−ム方式による再生動作でも、単−ビーム方式による再生動作でも、読み出し時間は同じであるので、ＣＰＵ４２は３つの読み取りビーム方式による再生動作を前述のように図示した各要素へ指示するか、或いは、単−ビーム方式による再生動作を行うため、図示せぬ光ビーム数制御回路と復調信号分岐器３９ヘ信号を送出し、単一ビームによって読み取られた信号を光検出器２７で検出して初段復調器３１で復調された信号を直接終段復調器３８へ出力するように指示を出す。本実施の形態も第１の実施の形態と同様の効果がある。
【００５５】
尚、上記第１、第２の実施の形態では、光ディスク２０の回転速度は通常速度を前提としたが、光ディスク２０の回転速度を上げれば、単−ビーム方式及び３ビーム方式のいずれの場合も、情報転送レートを向上させることができる。又、単−ビーム方式に切り換えた時のみ、光ディスク２０の回転速度をあげて、単−ビーム方式の情報転送レートを向上させるようにすることもできる。
【００５６】
また、上記第１、第２の実施の形態では、３つの光ビームを用いる場合について説明したが、再生に用いる光ビームの数は３つの光ビームでなく、例えば光ディスク２０の半径方向に長く複数の半径位置を照射することのできる矩形の光ビーム（線状光）や広範囲の照射光を用い、光検出器２５、２６、２７及び初段復調器３１、３２、３３以降の読取情報取込手段の数を制御することにより、同様の効果を得ることができる。
【００５７】
更に、上記第１、第２の実施の形態では、３つの光ビームを用いて、３トラックのデータを一度に読み出す場合について説明したが、２個以上の光ビームを用いて、２トラック以上のデータを一度に読み出す場合についても、本発明を適用して同様の効果を得ることができる。
【００５８】
また、上記第１、第２の実施の形態では、光ビームの数と読取情報取込手段の数の両方を制御する場合について説明したが、どちらか一方の数を制御しても同様の効果を得ることが出来る。
【００５９】
ところで、上記した発明を３ビームの光ピックアップを用いて光ディスクからデータを再生する装置に適用した場合について述べたが、３個の磁気ヘッドを用いて磁気ディスクの３つのトラックから同時にデータを読み出す構成の装置についても、本発明を適用して同様の効果を得ることができる。
【００６０】
【発明の効果】
以上詳細に説明したように、本発明の光ディスク再生装置によれば、複数トラックの記録情報を一度に読み出して再生することにより高い情報転送レートを得ることができると共に、連続セクタ数の小さな情報の読み出しにおいても短時間に再生信号を出力することができる。
【図面の簡単な説明】
【図１】本発明の光ディスク再生装置の第１の実施の形態を示したブロック図である。
【図２】光ディスクのある半径位置で得られた情報信号のセクタ数とシーク終了からの時間関係を示した特性図である。
【図３】従来の光ディスク記録再生系の概略構成一例を示したブロック図である。
【図４】従来の光ディスク再生装置の構成例を示したブロック図である。
【符号の説明】
２０  光ディスク
２１  半導体レーザ光源
２２  回折格子
２３  ビームスプリッタ
２４  対物レンズ
２５、２６、２７  光検出器
３１、３２、３３  初段復調器
３４、３５、３６  メモリ
３７  セレクタ
３８  終段復調器
３９  復調信号分岐器
４１  書込アドレスコントローラ
４２  ＣＰＵ
４３  読出アドレスコントローラ
４４  ビーム移動制御回路
４５  アクチュエータ
４６  位置検出器
【図１】
0003885360.tif 000002
【図２】
0003885360.tif 000003
【図３】
0003885360.tif 000004
【図４】
0003885360.tif 000005